(57)【要約】【課題】Copy Freeでないディジタルコンテンツを同時に同種の記録媒体に記録する事が認められない為、記録再生装置で記録した記録コンテンツを該記録再生装置で再生しながら、また記録媒体を介して別の再生装置で再生する事は不可能であり、また、別の再生機器で再生を行う場合は、記録再生装置から記録媒体へムーブを行う必要があった為不便であった。【解決手段】取り外し可能な記録媒体に対して、一方には記録を行った記録再生装置でのみアクセスが可能なようにローカル暗号鍵による暗号化を行った上で記録し、他方には他の再生装置でもアクセスが可能なようにローカル暗号鍵によらない暗号化を行った上で記録を行うように構成する（ステップ４０４）。【選択図】図４
2007287268.tif 000002
【特許請求の範囲】
【請求項１】
ディジタル信号を記録媒体上に記録する記録装置であって、
ディジタル信号を第１の記録媒体及び当該第１の記録媒体と同種の第２の記録媒体に記録する記録部と、
第１のディジタル信号を前記第１の記録媒体及び前記第２の記録媒体に記録するとき、それぞれに異なる制限を施す制限部とを含む記録装置。
【請求項２】
請求項１の記録装置であって、
前記制限部は、前記第１の記録媒体に記録するディジタル信号には当該記録装置での再生は許可するローカル制限を施し、前記第２の記録媒体に記録するディジタル信号には当該記録装置以外での再生も許可する制限を施す記録装置。
【請求項３】
請求項１の記録装置であって、
前記制限部は、第１のディジタル信号を前記第１の記録媒体及び前記第２の記録媒体に並行して記録するときには、前記第１の記録媒体に記録するディジタル信号には当該記録装置での再生は許可するローカル制限を施し、前記第２の記録媒体に記録するディジタル信号には前記第２の記録媒体の規格に従う規格制限を施す記録装置。
【請求項４】
請求項３の記録装置であって、
前記制限部は、第１のディジタル信号を前記第１の記録媒体及び前記第２の記録媒体のうち一方にのみ記録するときには、当該第１のディジタル信号を記録する第１又は第２の記録媒体の規格に従う規格制限を当該第１のディジタル信号に施す記録装置。
【請求項５】
請求項１の記録装置であって、
当該記録装置での再生は許可するローカル制限を施すローカル暗号鍵を生成するローカル暗号鍵生成部と、
ローカル制限して記録されたデータを復号するためのローカル復号鍵を生成するローカル複合鍵生成部と、
ディジタル信号に対し前記第１及び第２の記録媒体のセキュア規格に従う規格制限を施す規格暗号鍵を生成する規格暗号鍵生成部と、
規格制限して記録されたデータを復号するための規格復号鍵を生成する規格複合鍵生成部と、
前記ローカル暗号鍵と前記ローカル復号鍵と前記規格暗号鍵と前記規格復号鍵とを保持する鍵記憶部と、を更に含み、
前記制限部は、第１のディジタル信号を前記第１の記録媒体及び前記第２の記録媒体に並行して記録するときには、前記鍵記憶部のローカル暗号鍵を用いて前記第１の記録媒体へ記録するディジタル信号の制限を施し、かつ、前記鍵記憶部の規格暗号鍵を前記第２の記録媒体へ記録するディジタル信号の制限を施す記録装置。
【請求項６】
請求項５の記録装置であって、
第１のディジタル信号を前記第１の記録媒体及び前記第２の記録媒体のうち、一方にのみ記録するときには、前記制限部は、前記鍵記憶部の規格暗号鍵を用いる記録装置。
【請求項７】
請求項１から６のいずれかに記載の記録装置であって、
前記第１及び第２の記録媒体は、当該記録装置より取り外し可能である記録装置。
【請求項８】
ディジタル信号を記録媒体上に記録し、記録媒体から再生する記録再生装置であって、
ディジタル信号を第１の記録媒体及び当該第１の記録媒体と同種の第２の記録媒体に記録する手段と、
前記第１の記録媒体及び前記第２の記録媒体からディジタル信号を再生する再生手段と、
第１のディジタル信号を前記第１の記録媒体及び前記第２の記録媒体に並行して記録するとき、前記第１の記録媒体には当該記録再生装置以外での再生を制限する第１の制限を施し、且つ、前記第２の記録媒体には前記第１の制限とは異なる第２の制限を施す又は制限を施さない制限手段とを含む記録再生装置。
【請求項９】
ディジタル信号を記録媒体上に記録する記録装置が実行する記録方法であって、
ディジタル信号の第１及び第２の記録媒体への並行記録か及び第１及び第２の記録媒体が同種かを判断し、
同種の第１及び第２の記録媒体への並行記録と判断したとき、当該第１及び第２の記録媒体に、それぞれ異なる制限を施してディジタル信号を記録する記録方法。
【発明の詳細な説明】
【技術分野】
【０００１】
技術分野は、データを記録する記録装置に関し、特にデータのコピーの制限に関する。
【背景技術】
【０００２】
映像や音楽などコンテンツの著作権保護の技術が着目されている。著作権保護の技術の一つとして、コピーワンス（Copy Once）がある。コピーワンスの下では、記録されたコンテンツを記録媒体に一度だけバックアップする（子コピーを作る）ことができる。子コピーから更にコピーする（孫コピーを作成する）ことはできない。
【０００３】
例えば、特許文献１には、第１の光ディスクに記録されているコピーワンス・コンテンツは消去され、コピーワンス・コンテンツが第２のディスクに移動されたこととなり、コピーワンス・コンテンツの属性に反することなく第２の光ディスクに記録することができる、という技術が記載されている。
【０００４】
また、特許文献２には、録画再生機器毎に固有のＩＤを持たせ、１回のみ複製可とされているコンテンツであっても、この固有ＩＤと一致する録画再生機器以外では再生できないように暗号化して記録する場合に限り複数のコピーを作成することができるようにする、という技術が記載されている。
【０００５】
また、特許文献３には、コンテンツにコピーワンスの制限がある場合は、そのコピーワンス・コンテンツが（内容の同一性を問わず）２以上同時録画されることを禁止する、という技術が記載されている。
【０００６】
【特許文献１】特開２００５―３１７０５１号公報
【特許文献２】特開２００６−０４１５８２号公報
【特許文献３】特開２００５−３５４２２５号公報
【発明の開示】
【発明が解決しようとする課題】
【０００７】
特許文献１の技術によれば、第１の光ディスクからコンテンツは消去されてしまう。
【０００８】
特許文献２の技術によれば、複数のコピーがあっても、コンテンツを記録した録画再生機器でしか再生できない。
【０００９】
特許文献３の技術によれば、例えば家庭のレコーダで記録した場合であっても、家族が別々に楽しむことができない。
【００１０】
しかし、いわゆるユビキタス社会が進む中、家庭外でもコンテンツを楽しむことができるようになっていく。外出先でコンテンツを楽しむにあたっては、例えば、カーナビゲーションのディスプレイや、携帯機器（携帯電話、携帯ゲーム機、携帯音楽プレーヤ）のディスプレイが利用できるようになる。ここで、家庭のレコーダで録画した番組（コンテンツ）を、家族の一人が家庭内で見ると共に、家族の別の一人が外出先でも見られるようになれば、ユーザにとって時間を有効に使え、非常に便利である。しかし、このような利点は特許文献１から特許文献３の技術では得られない。
【００１１】
ただし特許文献１から３で考慮されているように、著作権保護のための制限は守られる必要がある。例えば、放送されてきたコピーワンスのコンテンツを録画した後のコピーを許すことはできない。また、録画時にも、ディジタル放送の規格では、チューナを通ったディジタル信号の1つのストリームを、同種の複数の記録媒体に、同一のセキュア規格を持って、同時に記録することは認められていない。コンテンツ保護の運用上、複製とみなされるためである。
【課題を解決するための手段】
【００１２】
そこで、例えば、１つのコンテンツを同種の複数の記録媒体に記録するにあたって、第１の記録媒体と第２の記録媒体とに異なる制限を施して記録する技術を提供する。特に、一方には、記録した記録再生装置では再生できるが他の再生装置では再生できないような制限が施される記録装置を提供する。
【発明の効果】
【００１３】
録画したコンテンツを、複数の場所で楽しむことができる。
【００１４】
上記以外の課題と手段と効果は、後述する実施の形態により明らかにされる。
【発明を実施するための最良の形態】
【００１５】
本発明の実施に好適な実施例を説明する。本実施例では、ディジタル放送されたディジタル信号をiVDR(Information Versatile Disc for Removal usage)に記録及び再生する例を説明する。ただし、ディジタル信号や媒体は、ディジタル放送されたものやiVDRに限定されるものではない。
【００１６】
まず、ディジタル放送における著作権管理技術、特にコピー制御技術について説明する。例えば放送局からのディジタル信号にはコピー制御情報が書き込まれている。ディジタル放送されるデータのコピー制御情報としては以下の４種類があり、ユーザが自分の記録媒体にバックアップをとる場合には、それぞれに応じた制約がある。
・Never Copy：コピーを１度も許さない。ユーザは、コピーが許されていないため、バックアップすることができない。
・Copy Once：コピーを１度だけ許す。ユーザは、一度だけバックアップ（子コピーを作ること）ができる。
・No More Copy：Copy Onceのデータから作られた子コピーのコピー制御情報。ユーザは、この子コピーから更にコピー（孫コピー）を作ることはできない。
・Copy Free：コピーを何度でも許す。ユーザは、何度でもコピーできる。
【００１７】
次に、iVDRについて説明する。
【００１８】
パーソナルコンピュータ、AV(Audio Visual)機器、情報家電、車載情報機器等の様々な機器の性能が向上し、機器間で扱われる情報量も増大している。これらの機器間で共通して使用できる記録媒体としてレーザを利用した光ディスクが使用されている。そして、パーソナルコンピュータで主に使用されてきたハードディスクのレコーダ等のAV機器での利用も広がってきている。ここで、内蔵のハードディスクに加え、リムーバルなカートリッジを採用して、インターフェースを共通化して様々な機器での利用を可能とするための標準化が進んでいる。その一例として挙げられるのが、iVDRである。すなわち、近年のディジタル蓄積メディアの発展に伴って、長時間の動画像および音声をこれらの蓄積メディアに圧縮記録する手法が検討されてきており、映画等の長時間の動画像を、高画質を保ったまま１枚のメディアに記録することが可能になってきた。記録メディアとしては、パーソナルコンピュータ等の主記憶装置として一般的であるHDD(ハードディスクドライブ)の大容量化および低価格化が進んでおり、AV用途のHDD内蔵レコーダが普及しつつある。さらに、HDDの弱点のひとつである耐衝撃性能や、近年特に問題となっているデータセキュリティ性能を向上させたiVDRが開発されている。iVDRの特徴として、例えば以下の点が挙げられる。
１．小型軽量で持ち運び可能なリムーバブルハードディスクドライブ。
２．リムーバブルでありながら、ハードディスクドライブならではの大容量記録、高速ランダムアクセスが可能。
３．インターフェース（信号部）はSerial ATAに準拠しており、1.5Gbpsの高速なデータ転送に対応。
４．複数使用することで、TB(Tera Bytes)容量を持つサーバでさえ、ユーザが簡単に構築可能。
５．PKI（公開鍵基盤）をベースとしたセキュア規格を策定し、 記録データ情報保護や著作権対応ディジタルコンテンツ保護を実現。例えば、SAFIA(Security Architecture For Intelligent Attachment device：サファイア)規格がある。
特に、５．の特徴により、各種データのディジタル化によって今後ますます重要視される著作権管理に対し、その媒体自体が持つ機能にて対応可能な記録媒体として、普及が期待されている。
【００１９】
図1は、記録再生装置の構成例を示すブロック図である。ディジタル放送を受信して記録媒体に記録し、また記録したデータを再生し、再生出力を得ることができるような記録再生装置を示している。
【００２０】
記録媒体Ａ 111は認証回路112とデータ記録領域113を含む。記録媒体Ｂ 114も認証回路115とデータ記録領域116を含む。本実施例では、上述のように記録媒体Ａ及び記録媒体Ｂは、iVDRとする。ただし、iVDR以外にも、記録媒体にセキュア規格が設けられ、著作権保護されたディジタルコンテンツの記録・読み出しに対する保護が可能なものであればiVDRに限定されない。また、記録媒体Ａと記録媒体Ｂは同種である。ここで同種とは、例えば同じiVDRである。iVDRではないＨＤＤ（3.5インチや2.5インチ等）とは異種であり、ＨＤＤとＤＶＤと半導体メモリも異種である。言い換えれば、著作権管理の運用上、並行して記録すると著作権法違反（複製など）とみなされてしまう記録媒体同士を同種の媒体と呼ぶ。
【００２１】
図１の各構成を説明しつつ、その動作の概要を説明する。
【００２２】
まず、記録媒体のセキュア規格に則って暗号化した情報を、記録媒体Ｂ 114に記録及び再生する場合の動作を説明する。記録媒体のセキュア規格に則った暗号化とは、対象の記録媒体の規格により定められた方式に則った暗号化をいう。セキュア規格に則った暗号化を行い記録した記録媒体のデータは、規格に準じた正規の記録再生装置により、セキュア規格に則った復号化を行って再生される。
【００２３】
101は、図１の各構成を制御するシステム制御部である。102は、ユーザからの操作入力を受けるユーザI/Fである。103は、入力された映像音声信号がアナログ信号の場合にMPEG符号化する符号化器である。104は、符号化器103から入力する信号と103を経由せずに入力するMPEG符号化されているMPEGストリームのディジタル映像信号（以下、映像信号と総称する）のどちらを入力するかを切り替える切替回路である。
【００２４】
107は、データセレクタである。その動作の詳細は後述する。ここでは、データセレクタ107から暗号化回路B 118に送られるものとする。記録再生装置のシステム制御部101と認証回路115との間で認証を行い、認証が成立した場合、システム制御部101により、記録媒体のセキュア規格に則った暗号化処理を行うよう設定し暗号化回路B 118で暗号化を行い、記録媒体Ｂ 114 のデータ記録領域115に記録される。
【００２５】
また、記録媒体Ｂ 114から再生する場合は、記録媒体の認証成立後、記録再生信号処理器108が記録媒体Ｂ 114から読み出したデータを、データセレクタ107経由で復号化回路109へ送り、システム制御部101により、記録媒体のセキュア規格に則った復号化処理を行うよう設定し復号化を行い、映像音声復号化器110によりMPEG復号処理を行い、映像音声信号として出力する。
【００２６】
次に、記録媒体のセキュア規格に則った暗号化とは異なるローカル暗号化を行って記録媒体Ａ 111に記録及び再生する場合の動作を説明する。ローカル暗号化とは、記録再生装置の固有の情報や、記録再生装置と記録媒体それぞれの固有の情報（ＩＤなど）などに基づいて生成される暗号鍵、復号鍵により、暗号化・復号化される。ローカル暗号鍵/ローカル復号鍵生成器106で生成される暗号鍵及び復号鍵は、記録再生装置から記録媒体に対し一意的に決まる固定の暗号鍵/復号鍵である。この場合、或る記録媒体に記録されるコンテンツに共通の暗号鍵で暗号化されてもよく、また、記録コンテンツ毎に暗号鍵/復号鍵生成器106により個別に生成された暗号鍵/複合鍵であってもよい。本記録再生装置においてローカル暗号化して記録媒体に記録したデータは、本記録再生装置とその記録媒体との組合せでのみ再生が認められる。別の記録再生装置によってローカル暗号化して記録された記録媒体のデータを本記録再生装置で再生することはできない。
【００２７】
映像信号は、切替え回路104とデータセレクタ107とを経由して、暗号化回路A 117に送られる。システム制御部101は、暗号鍵/復号鍵生成器によりローカル暗号鍵及び暗号化されたデータを復号化する復号鍵を設定し、暗号鍵復号鍵記憶部105に保持し、暗号化回路A 117は設定された暗号化鍵を用いてローカル暗号化処理を行う。システム制御部101と記録媒体Ａ 111の認証回路112との認証が成立した場合、暗号化された信号は記録再生信号処理器108により記録領域113に記録される。
【００２８】
また、記録媒体Ａ 111から再生する場合は、記録時と同様にシステム制御部101と認証回路112との認証が成立した場合、記録再生信号処理器108が記録領域113から読み出したデータを、データセレクタ107経由で復号化回路109へ送り、復号鍵記憶部105に記憶されている復号鍵により復号化回路109でローカル暗号化されたデータを復号化し、映像音声復号化器110によりMPEG復号処理を行い、映像音声信号として出力する。
【００２９】
以上、信号を記録媒体Ａまたは記録媒体Ｂに記録及び再生する場合について説明した。次に、コピー可否制御情報のある同じ映像信号を並行して同時に記録媒体Ａと記録媒体Ｂに記録及び再生する場合の動作を説明する。なお、並行（並列）、とは単位で完全に並行（並列）している処理に限定されず、例えばマルチタスク処理により時分割で処理される状態も含む。同時、についても完全に同時であることに限定されない。
【００３０】
切替回路104から出力されたMPEG符号化されたデータをデータセレクタ107へ送り、暗号化回路A 117においてローカル暗号化処理を行う。このときシステム制御部101は、暗号鍵/復号鍵生成器106によりローカル暗号鍵及び暗号化されたデータを復号化する復号鍵を設定し、暗号鍵復号鍵記憶部105に保持する。暗号化回路A 117は、設定された暗号化鍵を用いてローカル暗号化処理を行う。システム制御部101と記録媒体Ａ 111の認証回路112との認証が成立した場合、暗号化された信号は記録再生信号処理器108により記録領域113に記録される。また、データセレクタ107から並行して暗号化回路B 118にもMPEG符号化されたデータが送られ、ローカル暗号化処理ではなく、記録媒体のセキュア規格に則った暗号化処理を行う。このときシステム制御部101は、暗号鍵/複合鍵生成器106によりセキュア規格暗号鍵及び暗号化されたデータを復号化する復号鍵を設定し、暗号鍵復号鍵記憶部105に保持し、暗号化回路B 118は設定された暗号鍵を用いてセキュア規格に則った暗号化を行い、システム制御部101と記録媒体Ａ 114の認証回路115との認証が成立した場合、暗号化された信号は記録再生信号処理器108により記録領域116に記録される。
【００３１】
なお、入力する映像信号にコピー可否に関する制御情報がなくCopy Freeの場合は、システム制御部101により暗号化回路でローカル暗号化を行わない設定とし、切替回路104から出力されたデータはデータセレクタ107へ入力され、暗号化回路A 117 及び暗号化回路B 118でローカル暗号しない。記録再生信号処理器108により、記録媒体Ａ 111及び記録媒体Ｂ 114に記録する。記録媒体Ａ 111及び記録媒体Ｂ 114に記録したデータを再生するときは、記録再生信号処理器108を経由し復号化回路109へ送られるが、システム制御部101により復号化回路109で復号化を行わない設定とし、映像音声復号化器 110でMPEG復号処理を行い映像音声信号として出力される。
【００３２】
続いて、図２から図５により、詳細を説明する。
【００３３】
図2は、暗号化回路A 117及び暗号化回路B 118の構成例を示すブロック図である。コピー可否に関する制御情報のあるコンテンツに対しローカル暗号化を行う場合は、ローカル暗号化設定ONのパスへ信号を通し暗号化を行い、暗号化回路出力部A 202から出力する。該コンテンツに対しローカル暗号化を行わない場合は、ローカル暗号化設定OFFのパスへ信号を通し、セキュア規格に則った暗号化を行い暗号化回路出力部A 202より出力する。コピー可否に関する制御情報のないコンテンツに対してはローカル暗号化設定OFFのパスへ信号を通し、セキュア規格に則った暗号化設定もOFFとし暗号化を行わず、暗号化回路出力部A 202より出力する。パスの切り替えは、システム制御部101によって制御される。
【００３４】
図3は、復号化回路109の構成例を示すブロック図である。記録領域に記録されたデータに対し復号化処理を行う場合、ローカル暗号化されている場合はローカル復号化設定ONのパスへ信号を通し復号化を行い、復号化回路出力部A 302から出力する。ローカル暗号化されておらず、セキュア規格に則って暗号化された信号の場合、データをローカル復号化設定OFFのパスへ通しローカル復号化処理を行わず、セキュア規格に則った復号化設定ONのパスへ通し、復号化を行い復号化回路出力部A 302より出力する。また、ローカル暗号化されておらず、且つセキュア規格に則って暗号化されていない信号の場合、データをローカル復号化設定OFFのパスへ通し、ローカル復号化処理を行わず、セキュア規格に則った復号化設定OFFのパスへ通し、復号化を行わず復号化回路出力部A 302より出力する。パスの切り替えは、システム制御部101によって制御されるが、コンテンツの暗号化を示す情報に従って、自律的に切り替えてもよい。
【００３５】
次にコンテンツを記録媒体Ａと記録媒体Ｂに対し同じコンテンツを並行して記録する場合の動作の詳細について説明する。
【００３６】
図4は、入力信号がCopy Freeでない場合に、システム制御部101が実行する、記録媒体種別による暗号化回路パス設定処理フローの例を示す。
【００３７】
ユーザI/F 102より記録要求の操作指示を受けると(ステップ401)、システム制御部101は、記録対象コンテンツがCopy Freeであるかどうかを判断する(ステップ402)。Copy Freeでない場合は、記録媒体Ａ及び記録媒体Ｂへの並行記録かどうかを判断する(ステップ403)。並行記録であるかは、ユーザI/F 102による操作指示によってもよく、また、予め設定されていてもよい。並行記録である場合、システム制御部101は、データセレクタ107により暗号化回路A及び暗号化回路Bにデータを通し、暗号化回路A及び暗号化回路B内の暗号化設定を制御する。また、暗号化回路Aにおいて信号をローカル暗号化しローカル暗号化し、暗号化回路Bにおいては、記録媒体のセキュア規格に則った暗号化を行い出力させる(ステップ404)。並行記録でない場合、システム制御部101は、データセレクタ107により暗号化回路A又は暗号化回路Bにデータを通し、暗号化回路A又は暗号化回路B内の暗号化設定を制御し、入力信号をローカル暗号化せず、記録媒体のセキュア規格に則った暗号化を行い出力させる(ステップ406)。
【００３８】
図５は、入力信号がCopy Freeである場合に、システム制御部101が実行する、暗号化回路パス設定処理フローの例を示す。
【００３９】
Copy Freeである場合(ステップ402でYes)、システム制御部101は、並行記録かどうかを判断する(ステップ502)。並行記録である場合は、システム制御部101は、データセレクタ107により、暗号化回路A及び暗号化回路Bにデータを通し、さらに暗号化回路A及び暗号化回路Bの暗号化設定を制御し、入力信号をローカル暗号化せず、且つ記録媒体のセキュア規格に則った暗号化も行わずに、そのまま暗号化されていないデータを暗号化回路A、暗号化回路Bより出力させる(ステップ503)。並行記録でない場合、システム制御部101は、暗号化回路A又は暗号化回路Bの暗号化設定を制御し、入力信号を暗号化せずに(ステップ504)データを暗号化回路出力端子A又は暗号化回路出力端子Bから出力する(ステップ505)。
【００４０】
以上では、記録媒体Ａに対してローカル暗号化して記録再生を行い、記録媒体Ｂに対して記録媒体のセキュア規格に則り暗号化して記録再生するシステムを説明した。ただし、どちらかの媒体に単独にもしくはそれぞれ別のコンテンツを記録する場合には、記録媒体Ａに対して記録媒体のセキュア規格に則り暗号化して記録し、記録媒体Ｂに対しても記録媒体のセキュア規格に則り暗号化して記録することもできる。同一コンテンツを記録媒体Ａ及び記録媒体Ｂに並行して録画する場合には、記録媒体Ａへローカル暗号化し、記録媒体Ｂへはセキュア規格にて録画する構成としてもよい。この場合、同一コンテンツを記録媒体Ａ及び記録媒体Ｂに同時に記録する場合を除いては、ローカル暗号が用いられないため、どちらかの媒体に単独に、もしくは別コンテンツを記録する場合には、録画されたコンテンツは記録媒体のセキュア規格に則り暗号化して記録されることとなり、他の該記録媒体のセキュア規格対応再生機で記録媒体Ａ及び記録媒体Ｂを再生できる。
【００４１】
本実施例によれば、記録媒体Aと記録媒体Bは、同じ種類の記録媒体であっても、コンテンツの運用上、異なる種類の記録媒体として扱うことができる。すると、同時に同じ種類の記録媒体に並行して同じコンテンツを記録する事が可能となる。よって、例えば、取り外し可能な記録媒体Bに記録した場合は記録再生装置より取り外し、別の再生装置によって記録媒体Bからコンテンツを再生しつつ、記録再生装置によって記録媒体Ａで同じコンテンツの再生ができる。逆に、取り外し可能な記録媒体Ａを別の再生装置へ接続した場合、ローカル暗号化されている為アクセスできず再生できない。
【００４２】
記録媒体Ａ及びBは、記録再生装置から着脱容易な構成であってもよいし、少なくとも一方が記録再生装置に内蔵（ユーザによって容易に着脱されることが想定されていない状態）にされている構成であってもよい。或るコンテンツは記録媒体Ａにローカル暗号化して記録し、記録媒体Ｂにセキュア規格暗号化して記録し、別のコンテンツは記録媒体Ａにセキュア規格暗号化して記録し、記録媒体Ｂにローカル暗号化して記録することもできる。このような場合には、記録媒体Ａ及びＢの両方が取り外し可能であることが望ましい。
【００４３】
また、本実施例において、記録媒体Ａに記録されたディジタルコンテンツを記録媒体Ｂにムーブする事も可能である。記録媒体Ａがローカル暗号化されずに記録されたコンテンツの場合は記録再生信号処理器108を経由して記録媒体Ｂにムーブする事が可能である。記録媒体Ａにローカル暗号化されて記録されたコンテンツの場合は、記録再生信号処理器108が記録媒体Ａより読み出したデータをデータセレクタ107経由で復号化回路109へ送る。復号化回路109で、ローカル暗号化されたデータを復号化し、データセレクタ107経由で記録再生信号処理器108に戻して、記録媒体Ｂへ記録させる。
【００４４】
また、本実施例では、記録媒体にセキュア規格が設けられたもの（iVDR等）で説明したが、記録媒体これに限定されない。例えば、媒体についてはセキュア規格が設けられていない媒体であってもよく、また、セキュア規格については記録媒体によらずコンテンツに対応して設けられたセキュア規格であっても良いし、ディジタル放送等のCopy元に対応して設けられたセキュア規格であってもよい。
【００４５】
また、本実施例では、記録媒体Ａと記録媒体Ｂで記録するコンテンツの両方に何らかの暗号化を施したが、コンテンツによっては、一方にローカル暗号化を施し、他方は暗号化を施さないことも可能である。
【００４６】
また、本実施例では、セキュア規格による暗号化とローカル暗号化を例示して説明した。データのセキュアを達成するために暗号化が含まれることが一般的であるが、セキュアを達成できるのであれば暗号化を含まない方式であってもよい。暗号化と暗号化を含まない方式とを総称してセキュア制限又は又は再生制限又は制限ともいう。また、再生を許さないという意味で再生禁止又は再生抑止ともいう。
【図面の簡単な説明】
【００４７】
【図１】記録再生装置の構成例を示すブロック図
【図２】暗号化回路の構成例を示すブロック図
【図３】復号化回路の構成例を示すブロック図
【図４】暗号化回路パス設定処理例を示すフロー図(入力信号がCopy Freeでない場合)
【図５】暗号化回路パス設定処理例を示すフロー図(入力信号がCopy Freeである場合)
【符号の説明】
【００４８】
101・・・システム制御部
102・・・ユーザI/F
103・・・映像音声符号化器
104・・・切替回路
105・・・暗号鍵/複合鍵記憶部
106・・・暗号鍵/複合鍵生成器
107・・・データセレクタ
108・・・記録再生信号処理器
109・・・復号化回路
110・・・映像音声復号合化器
111・・・記録媒体Ａ
112・・・認証回路
113・・・データ記録領域
114・・・記録媒体Ｂ
115・・・認証回路
116・・・データ記録領域
117・・・暗号化回路A
118・・・暗号化回路B
201・・・暗号化回路
202・・・暗号化回路出力端子
301・・・復号化回路
302・・・復号化回路出力端子
【図１】
2007287268.tif 000003
【図２】
2007287268.tif 000004
【図３】
2007287268.tif 000005
【図４】
2007287268.tif 000006
【図５】
2007287268.tif 000007